(57)【要約】  【課題】  電装品箱への雨水等の侵入がなく、電装品を冷却を効率的に行うことができる室外機を提供することを目的とする。  【解決手段】  筐体の右側板３に隣接した位置に電装品１２を収めた電装品箱１３があり、右側板３には持ち運び用の把手部５ａを形成した電装カバー５が装着される。この電装カバー５に前記把手部５ａと電装品箱１３に外気を導入するための通気孔５ｂとを一体に形成する。通気孔５ｂの入口は把手部５ａの下部に位置し、出口は電装品箱１３の空気取入口に合わせ、把手部５ａの背面上部に設ける。通気孔５ｂには外部から侵入する雨水等の通過防止手段を設ける。この雨水等の通過防止手段は、例えば、通気孔５ｂの出口側にその内底面を高くしてなる段差を設けた構成とする。【選択図】図１
2005207656.tif 000002
【特許請求の範囲】
【請求項１】
吸込口と吹出口とを備えた筐体内部に送風機を設けるとともに、一側に電装品箱を配設し、同電装品箱に対応する前記筐体の側面に、これを視認できる点検口を設け、同点検口に把手部を備えた電装カバーを嵌着してなる空気調和機の室外機において、
前記電装カバーに、前記電装品箱に外気を供給する通気孔を形成してなることを特徴とする空気調和機の室外機。
【請求項２】
前記通気孔はその入口を前記把手部の下方に設け、出口を前記把手部の背面上部に設けてなることを特徴とする請求項１に記載の空気調和機の室外機。
【請求項３】
前記通気孔に雨水等の侵入を防止する侵入防止手段を設けてなることを特徴とする請求項１に記載の空気調和機の室外機。
【請求項４】
前記侵入防止手段が、前記通気孔の所定箇所に形成された段差部であることを特徴とする請求項３に記載の空気調和機の室外機。
【発明の詳細な説明】
【技術分野】
【０００１】
本発明は、空気調和機等の室外機に係わり、より詳細には、電装品箱内に配置された電子部品からの発熱により同電子部品に支障が発生することを防止する構造に関する。
【背景技術】
【０００２】
例えば、空気調和機の室外機においては、筐体内に圧縮機及び送風機を備えるとともに、同筐体内の一側に前記圧縮機及び送風機の動作を制御する電装品箱を配設した構成になっている。同電装品箱は内蔵した多数の電子部品が発熱することにより、その内部温度が上昇し、それが保証値を越えた高温になると電子部品の故障や寿命の低下を来す。
そこで従来は前記筐体に給気孔を設けたりして外気を電装品箱に導入し冷却するように構成したものがある（例えば、特許文献１参照）。
【０００３】
【特許文献１】特開平７ー５５２００号公報（第２頁、図１）
【発明の開示】
【発明が解決しようとする課題】
【０００４】
しかしながら、上記構成のものでは給気孔から電装品箱に雨水が侵入する恐れがあるため、給気孔に雨水の侵入を防止する遮水板を設けたり、給気孔を電装品と所定の距離をおいて設置する等の処置がとられていたが、これらの方法では外気の吸気量が不足し、電装品箱が効果的に冷却できないという問題点があった。
したがって、本発明においては上記問題点に鑑み、電装品箱への雨水等の異物侵入がなく、安全かつ電装品内に内臓された電子部品を効率良く冷却できるようにした室外機を提供することを目的としている。
【課題を解決するための手段】
【０００５】
本発明は上記課題を解決するため、吸込口と吹出口とを備えた筐体内部に送風機を設けるとともに、一側に電装品箱を配設し、同電装品箱に対応する前記筐体の側面に、これを視認できる点検口を設け、同点検口に把手部を備えた電装カバーを嵌着してなる空気調和機の室外機において、前記電装カバーに、前記電装品箱に外気を供給する通気孔を形成してなる。又、前記通気孔はその入口を前記把手部の下方に設け、出口を前記把手部の背面上部に設けてなる。又、前記通気孔に雨水等の侵入を防止する侵入防止手段を設けてなる。又、前記侵入防止手段が、前記通気孔の所定箇所に形成された段差部である構成となっている。
【発明の効果】
【０００６】
本発明の構成からなる室外機であれば、電装カバーとしての機能および室外機の外観を損なうことなく、電装品箱に対して外気を効果的に導入することができるとともに、電装カバーに形成された通気孔は、その入口が把手部の下方に位置し、出口が把手部の背面上部にあって通気が上昇するようになっており、且つその通気孔には外部から侵入する雨水等の侵入防止手段が設けられているので電装品箱に雨水やその他の異物が侵入する恐れもなく安全で品質的にもより向上した室外機の提供を可能にしている。
【発明を実施するための最良の形態】
【０００７】
以下、本発明の実施の形態を、添付図面に基づいた実施例として詳細に説明する。
【実施例１】
【０００８】
図１は空気調和機の室外機の概略構成を示したもので、同室外機の筐体は底板１と、外胴からなり、この外胴は左側板２ａと連続して形成された前面カバー２と、Ｌ字状に形成された右側板３と、上面カバー４とからなり、前面カバー２には破線で示す位置に吹出口２ｂが設けられ、右側板３には内部の保守点検等を行う際に利用する開口部が形成され、同開口部には後述する電装カバー５が被着されている。
【０００９】
前記筐体内は底板１上に立設された仕切板６により熱交換室７と機械室８とに区画され、熱交換室７には熱交換器９と、同熱交換器９により熱交換された空気を外部に送出する送風機１０が配置され、機械室８には下部に圧縮機１１が配置され、その上方に圧縮機１１および送風機１０等の運転制御を行うための電装品１２を収めた電装品箱１３が配置されており、この電装品箱１３の左右には内部の電装品１２を冷却するための空気の給気口（図示省略）と排出口１４とが設けられている。電装カバー５は樹脂材からなり、上部に持ち運び用の把手部５ａを形成し、その下部に前記電装品箱１３に外気を導入するための通気孔５ｂを一体に形成した構成になっている。
【００１０】
図２は図１のＡ−Ａ部の断面形状を示したもので、通気孔５ｂはその入口５ｃを把手部５ａの下部に設け、出口５ｄを把手部５ａの背面上部に設け、出口５ｄ側にその底面側を一段高くしてなる段差部５ｅを設け、台風などの強風時に入口５ｃから通気孔５ｂ内に雨水が侵入することや埃等の上昇（通気孔５ｂ内の通過）を防止するようになっている。
【実施例２】
【００１１】
図３は把手部５ａと一体に形成される通気孔５ｂの第２の実施例を示したもので、ここに示す通気孔５ｂはその成形がより簡単に行えるように通気孔５ｂの底面側を平坦面に形成し出口５ｄを大きく開口して、成形終了後に出口５ｄ側の底面に別部材として形成されたシール材５ｆを貼着あるいは取付けて図２に示す構成と同等の通気孔５ｂを形成するようにしたものである。
【実施例３】
【００１２】
図４は把手部５ａと一体に形成される通気孔５ｂの第３の実施例を示したもので、通気孔５ｂはその成形が前者よりなお一層簡単に行えるよう出口５ｄに段差（異物通過防止壁）５ｅを設けただけの構成になっている。
【実施例４】
【００１３】
図５で示す第４の実施例は、通気孔５ｂを構成する上面壁５ｇを下面壁に対して傾斜させ、通気孔５ｂの断面積が内方に向かい縮小するようにして、雨風の侵入を極力防止するようになっている。
【実施例５】
【００１４】
又、図６で示す第５の実施例は、通気孔５ｂの上面壁に、これから垂下する複数の遮水板５ｈを連設し、雨風の侵入を極力防止するようになっている。
【００１５】
上記した構成において、送風機１０が運転されると、その誘引力により外気が通気孔５ｂを介して電装品箱１３に導入され、同電装品箱１３の側面に設けられた排出口１４から熱交換室７に誘引され、熱交換器９により熱交換された空気と一緒に外部に送出されるが、上記の構成であれば、電装品箱１３に対して外気を効果的に導入することができるとともに、電装カバー５に形成された通気孔５ｂはその入口５ｃが把手部５ａの下部に位置し、出口５ｄが把手部５ａの背面上部にあって通気が上昇するようになっており、且つその通気孔５ｂには外部から侵入する雨水等の侵入防止手段が設けられているので電装品箱１３に雨水やその他の異物が侵入するのを防止することができる。
【図面の簡単な説明】
【００１６】
【図１】本発明による電装カバーを備えた室外機の概略構成を示す斜視図である。
【図２】本発明による電装カバーの第１の実施の形態を示す断面図である。
【図３】本発明による電装カバーの第２の実施の形態を示す断面図である。
【図４】本発明による電装カバーの第３の実施の形態を示す断面図である。
【図５】本発明による電装カバーの第４の実施の形態を示す断面図である。
【図６】本発明による電装カバーの第５の実施の形態を示す断面図である。
【符号の説明】
【００１７】
５  電装カバー
５ａ  把手部
５ｂ  通気孔
５ｃ  入口
５ｄ  出口
５ｅ  段差
５ｆ  シール材
5 g 上面壁
5 h 遮水板
１３  電装品箱
１４  排出口
【図１】
2005207656.tif 000003
【図２】
2005207656.tif 000004
【図３】
2005207656.tif 000005
【図４】
2005207656.tif 000006
【図５】
2005207656.tif 000007
【図６】
2005207656.tif 000008